(57)【要約】【課題】  不使用時にはコンパクトにして保管することができ、且つ塵埃受領域26の展開を容易に行うことのできる塵取り10の提供。【解決手段】  把持部を有する軸部材30と、当該軸部材30上をその長さ方向に摺動するスライダー部材40と、当該スライダー部材40の摺動動作によって展開し、塵埃を履き入れるための塵埃受領域26を出現させる、前記軸部の先端側に設けられた塵取り本体20とからなる塵取り10。【選択図】図１
2008161367.tif 000002
【特許請求の範囲】
【請求項１】
把持部を有する軸部材と、当該軸部材上をその長さ方向に摺動するスライダー部材と、当該スライダー部材の摺動動作によって展開し、塵埃を履き入れるための塵埃受領域を出現させる、前記軸部の先端側に設けられた塵取り本体とからなる塵取り。
【請求項２】
前記塵取り本体は、塵埃を収容する為の領域が撓性を有するシート部材又は曲折可能なプレート部材によって画定されると共に、
当該塵埃を収容する領域に塵埃を掃き込むための塵埃掃き込み口は、前記スライダー部材の摺動に伴って展開するフレーム部材によって形成されている請求項１に記載の塵取り。
【請求項３】
前記塵取り本体は、前記スライダーに対して揺動自在に設けられた第一フレームと、前記軸部材の下端側に揺動自在に設けられた第二フレームとからなり、当該軸部材と、スライダー部材と、第一フレームと、第二フレームとは、第二フレームを梃子とする梃子・スライダーリンク機構を構成している請求項１に記載の塵取り。
【請求項４】
前記塵取り本体は、前記スライダーに対して揺動自在に設けられ、且つ前記スライダー部材の摺動に伴って軸部材の先に突出し、塵埃を収容する為の領域に対する塵埃の掃き込み口を形成するフレーム部材と、このフレーム部材に設けられて塵埃を収容する為の空間を形成するシート部材又はプレート部材によって形成されている、請求項１に記載の塵取り。
【請求項５】
前記軸部材が伸縮自在に形成されている請求項１乃至４の何れか一項に記載の塵取り。
【請求項６】
塵取り本体は、塵埃を収容する領域に塵埃を掃き込むための塵埃掃き込み口を有し、当該掃き込み口は、軸部分側を閉塞するカバー部材を有する請求項１〜５の何れか一項に記載の塵取り。
【請求項７】
前記塵取り本体は垂体形状に展開し、当該垂体形状の塵取り本体は、軸部材及びフレーム部材の少なくとも何れかによって、その稜線が形成されている請求項１〜５の何れか一項に記載の塵取り。
【発明の詳細な説明】
【技術分野】
【０００１】
本発明は塵取りに関し、特に塵埃（ゴミを含む）が履き入れられる塵取り本体部分を開閉自在に形成して、不使用時にはコンパクトにして収納することのできる塵取りに関する。
【背景技術】
【０００２】
従来提供されている塵取りは、掃き込んだ塵埃を収容する領域（以下「塵埃受領域」とする）の後部に柄（又は把持部）を有するものと、当該領域の上部に柄を有するものの２つに大別することができる。これら両者は塵埃受領域と柄との組合わせ構造において基本的に異なっている。そして、使い勝手においても、前者（塵埃受領域の後部に柄を有するもの）は塵埃の掃き込み方向に柄が突出しており、使用に際して塵埃を塵埃受領域内に掃き込む際には屈んだ姿勢をとらなければならないことから、使用時において使用者の負担が大きいものとなっている。一方、後者のように塵埃受領域の上方に柄が設けられているものの場合は、当該柄を長く形成することにより、殆ど立ったままの姿勢を維持しながら、当該領域に塵埃を掃き込むことができるので、使用者への負担が軽減され、使い勝手に優れたものとなっている。
【０００３】
ここで、塵埃受領域の上方に柄を設けた塵取りの一例を示せば、従前においては、掃き込み用の開口部を前面に備えた集塵箱と、この集塵箱の開口部を開閉する蓋体と、上記集塵箱に回動自在に連結された柄とを備えて構成された塵取りが提供されている。この塵取りは、清掃時に上記集塵箱を地面に横向きに接地させると上記蓋体が開放して塵埃を掃き込むことができ、柄で上記集塵箱を持ち上げて宙吊り状態にすると、上記蓋体が開口部を閉じるようになっている。
【０００４】
しかしながら、このような塵取りは、機能的で使用には便利であるが、嵩張り易い構造である等の不都合がある。そこで、特許文献１（特開2003-010090号公報）では、この様な嵩張りやすい構造に基づく商品梱包及び輸送時の問題、並びに商品陳列時の占有スペースの問題を解決するべく、蓋付きの塵取りをスタッキング可能に形成することが提案されている。
【０００５】
また、塵埃受領域の上方に柄を設けた塵取りに関するコンパクト化の問題は、特許文献２（特開2003-284661号公報）でも提案されている。この文献で提案されている塵取りは、「Λ」形状に形成された柄の下端に紙押さえ部を形成して、この紙押さえ部で押さえた紙を塵埃受領域として使用し、不使用時には柄を閉じた状態にしてコンパクト化を図ることが提案されている。
【０００６】
更に従前においては、例えば特許文献３（実登3038188号公報）に示されているように、塵埃受領域への掃き込み口をフレームで形成し、スーパマーケットやコンビニエンスストアなどの小さな袋を利用して塵埃受領域を形成する塵取りも提案されている。
【特許文献１】特開2003-010090号公報
【特許文献２】特開2003-284661号公報
【特許文献３】実登3038188号公報
【発明の開示】
【発明が解決しようとする課題】
【０００７】
上記の通り、使い勝手の点で優れている塵埃受領域の上部に柄を有するタイプの塵取りに関しては、特許文献１において嵩張り易いなどの構造上の問題が指摘され、スタッキング可能な構造にすることで、輸送時などの問題を解消することが提案されている。
【０００８】
しかしながら、この技術によって解決できる問題は、専ら複数の塵取りを輸送・陳列する場合に限られ、塵取り自体をコンパクトにするものではない。
【０００９】
塵埃受領域の上部に柄を有するタイプの塵取りは、最終的に各家庭などの一般消費者において使用されることになるが、不使用時においても多大な保管場所を占有することは、やはり問題である。また、アウトドアなど屋外で使用する際、その使用場所まで持って行かなければならないが、その持ち運びに際してもコンパクトにできることが望ましい。
【００１０】
そこで本発明では、第一に、コンパクトに収容することのできる塵取りを提供することを課題とする。
【００１１】
また、前記特許文献２では、コンパクトに収容することのできる塵取りが提案されているが、使用に際しては塵埃受領域となる紙を設けなければならず、使用に際して面倒である。
【００１２】
そこで本発明では、不使用時にはコンパクトにして保管することができ、且つ塵埃受領域の展開を容易に行うことのできる塵取りを提供することを課題とする。
【００１３】
更に前記特許文献３では、フレームと袋体を用いて形成された塵取りが提案されているが、袋体は何ら保形性が保たれていないことから、掃き入れた塵埃（ゴミを含む）を捨てる際には、塵埃受領域から取り出すのが困難である。
【００１４】
そこで本発明では、塵埃受領域に掃き入れたゴミを捨てる際に、容易にこれを取り出して捨てることのできる塵取りを提供することを課題とする。
【課題を解決するための手段】
【００１５】
上記課題の少なくとも１つを解決する為、本発明では使用時に塵埃受領域を展開することができ、且つ不使用時には当該塵埃受領域を閉じておくことのできる塵取りを提供する。
【００１６】
即ち本発明では、把持部を有する軸部材と、当該軸部材上をその長さ方向に摺動するスライダー部材と、当該スライダー部材の摺動動作によって展開し、塵埃を履き入れるための塵埃受領域を出現させる、前記軸部の先端側に設けられた塵取り本体とからなる塵取りを提供し、前記課題の少なくとも１つを解決するものである。
【００１７】
上記本発明にかかる塵取りでは、スライダー部材の摺動動作を行うだけで、簡易に塵取り本体を展開させ、塵埃受領域を出現させることができることから、使用時における利便性は向上する。またスライダー部材が軸部材（即ち、塵取りにおける「柄」となる部材）の長さ方向に摺動することで塵取り本体を展開させることから、塵埃受領域の上方に軸部材を設けることもでき、これにより当該軸部材を長尺に形成して、使用時における使いやすさ（即ち使用者の姿勢など）を向上させることができる。
【００１８】
また、上記本発明にかかる塵取りにおいて、前記塵取り本体は、塵埃を収容する為の領域が撓性を有するシート部材又は曲折可能なプレート部材によって画定することができ、また当該塵埃を収容する領域に塵埃を掃き込むための塵埃掃き込み口を、前記スライダー部材の摺動に伴って展開するフレーム部材によって形成することができる。
【００１９】
このように形成すれば、塵埃を収容する為の領域である塵埃受領域が湾曲乃至は曲折自在となり、加えて塵埃掃き込み口は、前記スライダー部材の摺動に伴って展開することから、塵埃受領域もこの塵埃は着込み口の展開に伴って展開し、不使用時にはコンパクトにすることのできる塵取りとなる。
【００２０】
かかる構成の塵取りにおいては、塵埃受領域がシート体で形成されている場合、その輪郭形状をフレーム部材によって形成することができる。その際、少なくとも当該塵取りの塵埃掃き込み口を形成するフレームは、スライダー部材の摺動動作に伴って、当該掃き込み口を開口させるように展開する様に形成することもできる。塵埃掃き込み口をフレーム部材で形成することにより、使用時に塵埃を掃き込む場合であっても、当該塵埃掃き込み口が変形してしまうなどの問題を解消することができる。
【００２１】
また本発明にかかる塵取りにおいて、前記塵取り本体は、前記スライダーに対して揺動自在に設けられた第一フレームと、前記軸部材の下端側に揺動自在に設けられた第二フレームとからなり、当該軸部材と、スライダー部材と、第一フレームと、第二フレームとは、第二フレームを梃子とする梃子・スライダーリンク機構を構成するように形成する事ができる。
【００２２】
このように形成すれば、スライダー部材による塵取り本体の展開をスムーズに行うことができる。特に、第一フレームと第二フレームとを、夫々２組用いた場合には、塵埃受領域は、この四つのフレーム部材によって確定されることから、使用時における保形性や強度を向上させることができる。
【００２３】
また本発明にかかる塵取りにおいて、前記塵取り本体は、前記スライダーに対して揺動自在に設けられ、且つ前記スライダー部材の摺動に伴って軸部材の先に突出し、塵埃を収容する為の領域に対する塵埃の掃き込み口を形成するフレーム部材と、このフレーム部材に設けられて塵埃を収容する為の空間を形成するシート部材又はプレート部材によって形成することもできる。
【００２４】
このように形成すれば、塵取り本体は軸部材の先端であって、スライダー部材の摺動方向に展開することになり、使用時には実質的に塵取りの長さが長くなることから、負荷のかからない姿勢で使用できる塵取りが実現する。
【００２５】
また、上記本発明にかかる塵取りにおいて、軸部材を伸縮自在に形成することも望ましい。この塵取りを持ち運ぶ際に、よりコンパクトに纏めることができる為である。
【００２６】
更に、本発明にかかる塵取りにおいて、塵取り本体は、塵埃を収容する領域に塵埃を掃き込むための塵埃掃き込み口を有し、当該掃き込み口は、軸部分側を閉塞するカバー部材を有するものとして形成するのも望ましい。屋外で使用する際、塵埃受領域に掃き込んだ塵埃が風邪で飛散するのを阻止することができる為である。
【００２７】
更に本発明に形態における塵取りは、塵取り本体の骨格が軸部材とフレーム部材、又はフレーム部材で形成されていることが望ましく、塵埃掃き込み口を具備する立体形状に形成されていることが望ましい。特に、この塵取り本体が、円錐、三角錐、四角錘など、各種の垂体形状に形成されていれば、その稜線を形成するフレーム部材を展開させる構造が複雑化することはないので望ましい態様となる。
【００２８】
このように、塵取り本体の骨格が軸部材とフレーム部材、又はフレーム部材で形成されていれば、塵埃受領域に掃き入れた塵埃を捨てる際（即ち、塵埃掃き込み口を下に向けた状態）でも、当該塵取り本体は展開した形状を保つことができるので、簡易且つ確実に塵埃を捨てることができる。
【発明の効果】
【００２９】
以上の様に構成された本発明の塵取りによれば、使用しないときにはコンパクトに収容することができ、且つスライダー部材を摺動させるだけで塵取り本体を展開させて、塵埃受領域を出現させるという、簡易な操作で使用することのできる塵取りが提供される。
【００３０】
また、塵取り本体の骨格を軸部材とフレーム部材、又はフレーム部材で形成すれば、如何なる姿勢になっても、当該塵取り本体は展開した形状を保つことができるので、簡易且つ確実に塵埃を捨てることができる塵取りとなる。特に、この塵埃受領域に集めた塵埃を捨てる際には、塵取り本体を開閉することにより、確実に廃棄できることから、塵取り本体内にゴミが残ることのない、衛生的に使用できる塵取りが実現する。
【発明を実施するための最良の形態】
【００３１】
以下、本発明の実施の形態を添付図面を参照して説明する。
【００３２】
先ず、図１及び２に示す塵取り10では、長尺に形成した軸部材30の基端側に把持部31を設け、その他端側（先端側）に、塵取り本体20を設けている。この塵取り本体20は、上縁を形成する上フレーム部材21と下縁を形成する下フレーム部材22とを枢着してフレーム構成単位23を形成し、このフレーム構成単位23を所定の間隔（内角）をおいて２つ軸部材30に取り付け、この２つのフレーム構成単位23の間にシート体24を張設（張るように設けること）して構成されている。そして各フレーム構成単位23は下端を軸部材30の下端に枢着し、その上端を軸部材30に対して摺動自在に設けられたスライダー部材40に枢着している。
【００３３】
これにより、スライダー部材40が軸部材30の長さ方向に摺動することにより、各フレーム構成単位23は伸張したり、あるいはフレーム部材同士21・22の枢着部25において曲折するようになっている。より具体的には、図１（Ｂ）に示すように、スライダー部材40を軸部材30の先端側に移動させた場合には、各フレーム構成単位23は、フレーム部材同士21・22の枢着部25において曲折して三角形状になり、このように曲折した状態で軸部材30から側方に突出することになる。そしてこのようなフレーム構成単位23は、本実施の形態では２つ用いられ、これらを約９０°前後の内角を形成するようにして配置しており、これにより両フレーム構成単位23の間には、塵取り本体20の塵埃受領域26となる底面24aが出現している。この底面24aは、可撓性を有するシート部材24で形成することができ、両フレーム構成単位23における下フレーム部材同士22・22の間に張設することができる。なお、各フレーム構成単位同士23・23は、塵取り本体20を展開した状態において、内角が２０°〜１６０°、望ましくは４５°〜１２０°の範囲内となるように配置することが望ましい。また、各フレーム構成単位23における、上フレーム部材21と下フレーム部材22との間には、塵取り本体20の側面24bを形成するシート部材24が張設されている。
【００３４】
以上の様に構成された塵取り10では、図１（Ａ）及び図２（Ａ）に示すように、各フレーム構成単位23間に調節されたシート部材24で側面24bが形成され、各フレーム構成単位23における下フレーム部材22間に張設されたシート部材24により、塵埃受領域26として機能する塵取り本体20の底面24aが形成され、各フレーム構成単位23における上フレーム部材21間を掃き込み口26として、塵取り本体20が展開されてる。
【００３５】
そして、図１に示す塵取り10は、不使用時など保管する際には、スライダー部材40を把持部側（基部側）にスライドさせ、各フレーム構成端を伸張させることにより、おおよそ棒状の形態としてコンパクトにすることができる。ここで、本実施の形態にかかる塵取り10では、その塵取り本体20の側面24bを形成するシート体24が、十分に伸縮性を有するものを用いて形成されている。これにより、図１（Ａ）のような展開状態から、図１（Ｂ）に示すようにフレーム構成単位23を伸張させた場合でも、シート体24がこれに追従し、塵取り本体20を閉じた状態となることができる。
【００３６】
また軸部材30におけるスライダー部材40の摺動領域上下端には、当該スライダー部材40を保持して固定乃至は保持するための係止部材31が設けられている。本実施の形態では、スライダーの側面24bに形成された長尺状の孔部（図示せず）に貫通して、当該スライダー部材40を保持するハジキ片31として具体化されている。
【００３７】
なお、塵埃受領域26である塵取り本体20の底面24aは、本実施の形態に示すようにシート体24で形成する他、各フレーム構成単位同士23・23の中間地点で、軸部材30に対して直交する向きに曲折する板部材を用いて形成することもできる。
【００３８】
また、図２に示すように、塵埃掃き込み口26の下辺（即ち塵埃受領域26における塵埃掃き込み口26を形成する辺）には、断面形状が楔形であって、長さ方向の略中央で曲折可能な長尺部材50を添設することが望ましい（後述の図１０参照）。このように形成すれば、塵埃を掃き入れる際に、その掃き込み口26が捲れ変える虞をなくし、使い勝手を向上させることができる為である。また、当該塵取り本体20を閉じた状態にして保管する際、塵取り本体20の底面24aが不規則に折れ曲がることを阻止できる為である。
【００３９】
更に、上記図１及び図２に示した形態において、塵埃掃き込み口26は必ずしもこれら図面に示したようにフレーム構成単位23間に形成される必要は無く、例えば図１及び２における何れかの側面24bを開口させ、これを塵埃掃き込み口26とすることもできる。この場合、当然のことながら、図１及び２において、フレーム構成単位23間に形成されている塵埃掃き込み口26は、適宜シート部材24によって閉塞されることになる。
【００４０】
更に本実施の形態にかかる塵取り10において、前記塵取り本体20は、これを閉じる際に、各フレーム構成単位23における上フレーム部材21又は下フレーム部材22の中間地点又は先端部（下フレーム部材22との枢着部分25）が引き上げられる様に構成することもできる。
【００４１】
例えば図３では、スライダーの下端と、塵取り本体20における上フレーム部材21とを、連結杵27で接続しており、スライダー部材40を上方に引き上げることにより、上フレーム部材21も連結杵27を介して引き上げられ、その結果、図３（Ｂ）に示すように、フレーム構成単位23の上端も引き上げられて塵取り本体20が閉じる様に構成されている。このように形成すれば、塵取り本体20における側面24bを展開時において低くすることができる。その結果、例えは当該側面24bを一定の形状を保つことのできるプレートで形成し、これを下フレーム部材22に固定しておけば、塵取り本体20を閉じる際には、この側面24bがそのまま起立する様に形成することもできる。即ち、塵取り本体20の側面24bが上フレーム部材21と接続されていない塵取り10である。
【００４２】
また図４に示す態様の塵取り10は、上記図３に示した連結杵27を上フレーム部材21の長さ方向略中央に接続しており、当該上フレーム部材21は、この連結杵27が接続された位置で曲折するように形成している。そして、塵取り本体20における上端（軸部材30との接点）は、軸部材30に対して揺動自在に設けている。
【００４３】
このように形成した塵取り10では、スライダー部材40を上方に引き上げることにより、図４（Ｂ）に示すように上フレームは略中央で曲折し、上フレームが折れたたまれた形で塵取り本体20が閉じられることになる。
【００４４】
更に図５に示す塵取り10では、上記図４に示した塵取り10に関連するものであるが、上フレームではなく下フレーム部材22を曲折可能に形成し、この曲折部分に対して連結杵27を設けている。その際、フレーム構成単位23における軸部材30との接続は、揺動自在となるように枢着される必要がある。
【００４５】
さらに本発明にかかる塵取り10は、フレーム部材21,22は必ずしも剛性を有するもので形成される必要はなく、例えば図６に示すように、湾曲自在なワイヤー21'などを用いて形成することもできる。
【００４６】
図６に示す塵取り10では、スライダー部材40と、塵取り本体20における底面24aの側縁を形成するフレーム部材（下フレーム部材22に相当する）とをワイヤー21'で接続しており、このワイヤー21'を前記実施の形態における上フレームとして機能させるものである。このように形成された塵取り10では、スライダー部材40を引き上げることにより、それに伴ってワイヤー21'も引き上げられる。このワイヤー21'の引き上げに際しては、軸部材30に固定されたワイヤー21'支持部材の中を通ることで、スライダーの摺動方向に引き上げ向きが変換されている。そしてワイヤー21'の引き上げに伴い、塵取り本体20における下フレーム部材22は、軸本体との枢着部25分を中心に上方に回動し、これに伴って塵埃受領域26は閉じられることになる（図６（Ｂ）参照）。
【００４７】
なお、このようにして湾曲自在なワイヤー21'を用いて塵取り本体20を形作る場合には、側面24bは、図６に示すように、塵取り本体20における側面24bを低く形成する他、ワイヤー21'、フレーム部材（下フレーム部材22に相当する）及び軸部材30で区画された領域全面に形成することもできる。この場合、当該側面24bには、ワイヤー21'を通す為の筒状部乃至は孔部が形成され、カーテン状乃至は蛇腹状に捲り上げられることになる。
【００４８】
また、本発明にかかる塵取り10では、図７及び８に示すように、塵取り本体20をフレーム28だけで形作るように形成することもできる。
【００４９】
図７に示す塵取り10では、少なくとも３本以上のフレーム28の上端を、スライダー部材40に揺動自在に設け、また軸部材30の下端には、各フレーム部材28が外側に向かって展開する様に、当該各フレーム部材28を案内するフレーム案内部29が形成されている。このフレーム案内部材29は、垂体形状に形成して、軸部材30の下端に設けることができる。
【００５０】
このように形成した塵取り10では、スライダー部材40を下方に移動させることにより、各フレーム28は当該フレーム案内部材29によって下方斜め外側に向かって広がり、その塵取り本体20も展開して塵埃受領域26が出現することになる。なお、図７（Ｂ）では、上記フレーム案内部材29を示すために、閉じた状態の塵埃受領域26の輪郭を鎖線で示し、且つその内部を透視させて明らかにしているが、実際は当該フレーム案内部材29は、塵取り本体20が閉じた状態においては、当該塵取り本体20内に包まれることになる。
【００５１】
更に、上記図７に示すように塵取り本体20をフレームだけで形成した塵取り10においても、図８に示すように、スライダー部材40の引き上げによって塵埃受領域26の外縁部を持ち上げ、これにより塵取り本体20を閉じる様に形成することもできる。
【００５２】
この図８に示す態様では、塵埃受領域26の外縁部の内、スライダー部材40の引き上げに伴って持ち上げられる部分は、上に向かって（即ち、側面24b視「Λ」字状に）折り曲がり、これにより塵取り本体20を閉じることができる（図８（Ｂ）参照）。なお、この図８に示す塵取り10に関連し、塵埃受領域26の外縁部の曲がり方を逆向きに（即ち、側面24b視「Ｖ」字状に下方に突起するように）折れ曲がる様に形成した場合、スライダー部材40を引き上げることで塵取り本体20が展開し、スライダー部材40を下げることで塵取り本体20が閉塞する塵取り10として形成することもできる。
【００５３】
特に、上記図７及び図８に示すように、塵取り本体20をフレーム28だけで形成し、軸部材30の先に突起して塵取り本体20を展開させる様に形成した場合には、塵取り本体20における側面24bや底面24a（塵埃受領域26）を形成するシート体24は、特に伸縮性を具備する必要は無い。但し当該塵取り本体20を閉じた状態において、当該シート体24自体が邪魔になることの無い様に、伸縮性を有するものを用いることが望ましい。
【００５４】
そして上記図１から８に示した塵取り10では、更に以下の構成を伴うことができる。
【００５５】
図９は、塵取り本体20に形成される塵埃掃き込み口26の上方を閉じるように、上フレーム部材21・21間にシート体24cを張設してカバーを形成した例を示している。このように塵埃掃き込み口26の上方をカバー（シート体24c）で閉じれば、塵埃受領域26に掃き入れた塵埃が風邪などで飛び散ることがなくなるので、屋外においても使用できる塵取り10となる。なお、当然に塵取り本体20を閉じる際は、この塵埃掃き込み口26の上方を閉じるシート体24cも閉じられることになる。
【００５６】
図１０は、各塵取り10における塵埃受領域26の塵埃掃き込み口26に添設することのできる長尺部材50を示している。この長尺部材50は、断面略楔形に形成していることから、ごみを掃きいれる際に、この長尺部材50自体が段差を形成するおそれはなく、更に長さ方向の略中央で曲折するものとして形成されていることから、塵取り本体20を折り畳む際にも、これが邪魔になることは無い。
【００５７】
そして図１１は、前記軸部材30を摺動するスライダー部材40の内側に弾性部材41（図面ではコイルバネ）を内装させ、この弾性部材41の弾性力によって連結杵27と上フレーム部材21との基端側（軸部材30側）の距離を大きくし、これによって下フレーム部材22を軸部材30の放射方向に展開させる例を示している。即ちこの図に示す構成を伴う塵取り10では、当該弾性部材による弾性付勢によって、簡易に塵取り本体20を展開することができ、且つ展開後においてもこれを保持できる塵取り10となっている。なお図１１中、符号42は、伸張したスライダー部材40の下端を指示する支持部材である。
【００５８】
また、上記各図に示した実施形態の塵取り10では、特に図示するものではないが、その軸部材30を伸縮自在に形成することもできる。伸縮自在とする構造には、アンテナのように伸縮自在に形成するほか、継ぎ足すことにその長さを変化させることも含まれる。
【００５９】
更に、上記各図に示した実施形態の塵取り10においては、塵取り本体20を閉じた状態において、閉じているシート部材24を軸部材30又はフレーム部材に巻き付けておくためのバンド乃至はベルト等の紐部材（図示せず）を伴うこともできる。このような紐部材を伴う場合には、持ち運びに際して、閉じている塵取り本体20が木の枝などに引っ掛かることが無くなる他、よりコンパクトに保管することができるようになる。
【００６０】
尚、本発明の塵取り10は、上記した実施の形態に限定されるものではなく、本発明の要旨を逸脱しない範囲内において種々変更を加えることは勿論可能である。
【図面の簡単な説明】
【００６１】
【図１】本実施の形態にかかる塵取りの全体を示す斜視図
【図２】図１に示した塵取りを正面側から見た時の要部拡大斜視図
【図３】他の実施の形態にかかる塵取りの塵取り本体の展開状態を示す斜視図
【図４】更に他の実施の形態にかかる塵取りの塵取り本体の展開状態を示す斜視図
【図５】更に他の実施の形態にかかる塵取りの塵取り本体の展開状態を示す斜視図
【図６】更に別の実施形態にかかる塵取りの塵取り本体の展開状態を示す要部拡大図
【図７】更に別の実施形態にかかる塵取りの塵取り本体の展開状態を示す要部拡大図
【図８】更に別の実施形態にかかる塵取りの塵取り本体の展開状態を示す要部拡大図
【図９】塵埃掃き込み口の上方を閉じた例を示すよう部拡大図
【図１０】塵埃掃き込み口に添設する長尺部材を示す斜視図
【図１１】スライダー部材の他の例を示す要部断面図
【符号の説明】
【００６２】
10 塵取り
20 塵取り本体
21 上フレーム部材
21' ワイヤー
22 下フレーム部材
23 フレーム構成単位
24 シート体
24a 底面
24b 側面
25 枢着部
26 塵埃受領域
27 連結杵
29 フレーム案内部
30 軸部材
31 係止部材
40 スライダー部材
41 弾性部材
50 長尺部材
【図１】
2008161367.tif 000003
【図２】
2008161367.tif 000004
【図３】
2008161367.tif 000005
【図４】
2008161367.tif 000006
【図５】
2008161367.tif 000007
【図６】
2008161367.tif 000008
【図７】
2008161367.tif 000009
【図８】
2008161367.tif 000010
【図９】
2008161367.tif 000011
【図１０】
2008161367.tif 000012
【図１１】
2008161367.tif 000013